(57)【要約】【課題】本発明の目的は、スプレー塗布装置、及び塗布装置先端部と手術部位との間の不注意な接触の悪影響を低減する使用方法を提供することである。【解決手段】薬剤を組織に塗布するスプレーノズルである。スプレーノズルは、先端部ハウジングと弁とを有する。先端部ハウジングは、遠位端と、近位端と、これらの端間に延在するとともに長手方向中心軸を画定するルーメンとを有する。弁は、先端部ハウジングのルーメンを通って長手方向中心軸に沿って延在する細長い本体を有する。先端部ハウジングのルーメン内を摺動するように構成されている弁は、先端部ハウジングに対する伸張位置では、薬剤を組織に向かって分散させるように構成されている。弁が先端部ハウジングに対して収納位置にあるときには、薬剤が組織から離れるように排気される。【選択図】図２
2013188479.tif 000002
【特許請求の範囲】
【請求項１】
遠位端と、近位端と、該遠位端及び該近位端の間に延在し長手方向中心軸を画定するルーメンとを有する先端部ハウジングと、
前記先端部ハウジングの前記ルーメンを通って前記長手方向中心軸に沿って延在する細長い本体を有する弁であって、伸張位置と収納位置との間で前記先端部ハウジングの前記ルーメン内を摺動するようになっている弁と、
を備えて薬剤を組織に塗布するスプレーノズルであって、
前記先端部ハウジングは、前記弁が前記伸張位置にある状態では、前記薬剤を前記組織に向かって分散させるように構成されており、前記弁が前記収納位置にある状態では、前記薬剤を前記組織から離すように排気するようになっているスプレーノズル。
【請求項２】
請求項１に記載のスプレーノズルであって、
前記先端部ハウジングの前記ルーメンに流体的に連結されるとともに前記弁が前記収納位置にあるときに前記薬剤を排気するように構成される複数の圧抜き排気口を、さらに、有するスプレーノズル。
【請求項３】
請求項１に記載のスプレーノズルであって、
前記弁の前記細長い本体は、遠位に位置決めされる最大の幅寸法から近位にテーパー状になっているスプレーノズル。
【請求項４】
請求項３に記載のスプレーノズルであって、
前記先端部ハウジングの前記遠位端の開口は、前記弁が前記伸張位置にあるときに該弁の前記細長い本体と前記先端部ハウジングの前記遠位端の該開口との間に隙間が形成され、前記弁が前記収納位置にあるときに前記弁の前記最大の幅寸法によって前記隙間が低減するように、前記弁の前記最大の幅寸法に合うか又は該最大の幅寸法を超える幅寸法を有するスプレーノズル。
【請求項５】
請求項１に記載のスプレーノズルであって、
前記先端部ハウジングの前記近位端は、前記薬剤を該先端部ハウジングに供給する働きをする管を収納するように構成されているスプレーノズル。
【請求項６】
請求項１に記載のスプレーノズルであって、
前記弁は、前記薬剤の分散パターンを変えるように構成されている複数のベーンを有するスプレーノズル。
【請求項７】
請求項１に記載のスプレーノズルであって、
前記弁は、近位端と、遠位端と、該近位端及び該遠位端間に延在するルーメンとを有するスプレーノズル。
【請求項８】
請求項７に記載のスプレーノズルであって、
前記弁の前記遠位端は、前記薬剤を前記組織に向かって分散させる前に混合するように構成されているスピンチャンバーを有するスプレーノズル。
【請求項９】
請求項８に記載のスプレーノズルであって、
前記ノズルは、前記スピンチャンバーに近接するインサートを前記弁の前記ルーメン内にさらに備え、前記インサートは、前記混合された薬剤を前記スピンチャンバーから受容し、前記混合された薬剤を前記スピンチャンバーから前記組織に向かって方向付けし直す気泡体を内部に有するスプレーノズル。
【請求項１０】
請求項１に記載のスプレーノズルであって、
前記弁は、前記細長い本体の外面に形成されている複数の圧抜き排気口を含み、該複数の圧抜き排気口は、前記弁が前記収納位置にあるときに前記先端部ハウジングの前記ルーメンと流体連通し、前記薬剤を排気させる流体経路を提供するように構成されているスプレーノズル。
【請求項１１】
請求項１に記載のスプレーノズルであって、さらに、
前記先端部ハウジングは、前記薬剤を前記組織に向かって分散させる前に混合するように構成されている混合構造部を有するスプレーノズル。
【請求項１２】
請求項１に記載のスプレーノズルであって、さらに、
前記先端部ハウジングは、ユーザーによって塗布管の遠位端に選択的に連結されるように構成されているコネクター部材を有するスプレーノズル。
【請求項１３】
遠位端と、近位端と、該遠位端及び該近位端間に延在するとともに長手方向中心軸を画定するルーメンとを有する先端部ハウジングと、
近位端と、遠位端と、内部を貫通するルーメンとを有する細長い本体を有する弁であって、前記先端部ハウジングの前記ルーメンを通って前記長手方向中心軸に沿って延在するとともに、前記先端部ハウジングに対して伸張位置と収納位置との間で摺動するように構成されている弁と、
前記薬剤を前記組織に向かって分散させる前に混合するように構成され、前記弁の前記細長い本体の前記遠位端にあるスピンチャンバーと、
前記弁が前記収納位置にあるときに前記先端部ハウジングの前記ルーメンと流体連通するように構成され、前記弁の前記細長い本体の外面に形成されている複数の圧抜き排気口と、
前記弁の前記ルーメン内に前記スピンチャンバーに近接して位置決めされているインサートであって、前記混合された薬剤を前記スピンチャンバーから受容して該混合された薬剤を分散させるように構成されている気泡体を内部に有するインサートと、
を備える薬剤を組織に塗布するスプレーノズルであって、
前記先端部ハウジングは、前記弁が前記伸張位置にある状態では、前記薬剤を前記スピンチャンバー及び前記インサートを介して前記組織に向かって分散させるように構成されており、前記弁が前記収納位置にある状態では、前記薬剤を前記複数の圧抜き排気口を介して前記組織から離すように排気するように構成されているスプレーノズル。
【請求項１４】
請求項１３に記載の前記スプレーノズルを、前記先端部ハウジングの前記近位端に動作可能に連結されるマルチルーメン管とともに用いて第１の薬剤及び第２の薬剤を組織に塗布する方法であって、
前記弁の前記ルーメンは、前記マルチルーメン管の第１のルーメンに動作可能に連結され、前記先端部ハウジングの前記ルーメンは、前記マルチルーメン管の第２のルーメンに動作可能に連結され、前記方法は、
前記弁が前記伸張位置にある状態で、前記第１の薬剤を、前記マルチルーメン管の前記第１のルーメンから、前記弁の前記ルーメンを通して、前記スピンチャンバーを通して、前記インサートの前記気泡体内に方向付けるとともに、前記第１の薬剤を前記気泡体から前記組織に向かって分散させる工程と、
前記弁が前記収納位置にある状態で、前記第２の薬剤を、前記マルチルーメン管の前記第２のルーメンから、前記先端部ハウジングの前記ルーメンを通して前記弁の前記細長い本体の外面に沿って、前記弁の前記複数の圧抜き排気口内に方向付けるとともに、前記第２の薬剤を前記複数の圧抜き排気口から前記組織に向かって排気させる工程と、
を有する方法。
【請求項１５】
請求項１３に記載の前記スプレーノズルを、前記先端部ハウジングの前記近位端に動作可能に連結される管とともに用いて薬剤を組織に塗布する方法であって、
前記弁が前記伸張位置にある状態で、前記薬剤を、前記管から、前記弁の前記ルーメンを通して、前記スピンチャンバーを通して、前記インサートの前記気泡体内に方向付けるとともに、前記薬剤を前記気泡体から前記組織に向かって分散させることと、
前記弁が前記収納位置にある状態で、前記薬剤を、前記管から、前記先端部ハウジングの前記ルーメンを通して前記弁の前記細長い本体の外面に沿って、前記弁の前記複数の圧抜き排気口内に方向付けるとともに、前記組織から離すように前記薬剤を前記気泡体から排気することと、
を有する薬剤を組織に塗布する方法。
【請求項１６】
薬剤を組織に塗布するスプレー塗布装置であって、
スプレーノズルであって、
遠位端と、近位端と、該遠位端及び該近位端間に延在するとともに長手方向中心軸を画定するルーメンとを有する先端部ハウジングと、
前記先端部ハウジングの前記ルーメンを通って前記長手方向中心軸に沿って延在する細長い本体を有する弁であって、前記先端部ハウジングの前記ルーメン内を伸張位置と収納位置との間で摺動するように構成されている、弁と、
を備える、スプレーノズルと、
前記先端部ハウジングの前記近位端に動作可能に連結される管と、
を備え、前記先端部ハウジングは、前記弁が前記伸張位置にある状態では、前記薬剤を前記組織に向かって分散させるように構成されており、前記弁が前記収納位置にある状態では、前記薬剤を前記組織から離すように排気するように構成されている、薬剤を組織に塗布するスプレー塗布装置。
【請求項１７】
請求項１６に記載のスプレー塗布装置であって、さらに、
前記先端部ハウジングの前記ルーメンに流体的に連結されるとともに前記弁が前記収納位置にあるときに前記薬剤を排気するように構成されている複数の圧抜き排気口をさらに有するスプレー塗布装置。
【請求項１８】
請求項１６に記載のスプレー塗布装置であって、さらに、
前記弁の前記細長い本体は、遠位に位置決めされる最大の幅寸法から近位にテーパー状になっている、請求項１６に記載のスプレー塗布装置。
【請求項１９】
請求項１８に記載のスプレー塗布装置であって、さらに、
前記先端部ハウジングの前記遠位端の開口が、前記弁が前記伸張位置にあるときに該弁の前記細長い本体と前記先端部ハウジングの前記遠位端の該開口との間に隙間が形成され、前記弁が前記収納位置にあるときに前記弁の前記最大の幅寸法によって前記隙間が低減するように、前記弁の前記最大の幅寸法に合うか又は該最大の幅寸法を超える幅寸法を有するスプレー塗布装置。
【請求項２０】
請求項１６に記載のスプレー塗布装置であって、さらに、
前記弁は、前記薬剤の分散パターンを変えるように構成されている複数のベーンを有するスプレー塗布装置。
【請求項２１】
請求項１６に記載のスプレー塗布装置であって、さらに、
前記弁は、近位端と、遠位端と、該近位端及び該遠位端間に延在するルーメンとを有するスプレー塗布装置。
【請求項２２】
請求項２１に記載のスプレー塗布装置であって、さらに、
前記弁の前記遠位端は、前記薬剤を前記組織に向かって分散させる前に混合するように構成されているスピンチャンバーを有するスプレー塗布装置。
【請求項２３】
請求項２２に記載のスプレー塗布装置であって、該塗布装置は、前記弁の前記ルーメン内に前記スピンチャンバーに近接するインサートをさらに備え、該インサートは、前記混合された薬剤を前記スピンチャンバーから受容して該混合された薬剤を該スピンチャンバーから前記組織に向かって方向付けし直す気泡体を内部に有するスプレー塗布装置。
【請求項２４】
請求項２１に記載のスプレー塗布装置であって、さらに、
前記管は、内部に第１のルーメンと第２のルーメンとを含み、前記弁の前記ルーメンは、該弁の該ルーメンに動作可能に連結される前記管の前記第１のルーメンに動作可能に連結され、前記管の前記第２のルーメンは、前記先端部ハウジングの前記ルーメンに動作可能に連結されるスプレー塗布装置。
【請求項２５】
請求項１６に記載のスプレー塗布装置であって、さらに、
前記弁は、前記細長い本体の外面に形成されている複数の圧抜き排気口を含み、該複数の圧抜き排気口は、前記弁が前記収納位置にあるときに前記先端部ハウジングの前記ルーメンと流体連通し、前記薬剤を排気させる流体経路を提供するように構成されているスプレー塗布装置。
【請求項２６】
請求項１６に記載のスプレー塗布装置であって、
該塗布装置は、前記管の、前記スプレーノズルが動作可能に連結される端と対向する該管の端に動作可能に連結されるハブをさらに備え、該ハブは前記薬剤を前記管に供給するように構成されているスプレー塗布装置。
【請求項２７】
請求項１６に記載のスプレー塗布装置であって、さらに、
前記先端部ハウジングは、前記薬剤を前記組織に向かって分散させる前に混合するように構成されている混合構造部を有するスプレー塗布装置。
【請求項２８】
請求項１６に記載のスプレー塗布装置であって、
前記先端部ハウジングの前記近位端は第１のコネクター部材をさらに有し、
前記管の遠位端は第２のコネクター部材を有し、
前記第１のコネクター部材及び前記第２のコネクター部材は、ユーザーによって選択的に一緒に連結されるように構成されているスプレー塗布装置。
【請求項２９】
請求項１６に記載の前記スプレー塗布装置の前記管から前記スプレーノズルを取り外すように構成されている取り外し工具であって、
前記先端部ハウジングと動作可能に係合して支持するように構成されているカバー部分と、
前記先端部ハウジングを前記管から解放するように構成されている離脱部分と、
を備え、前記カバー部分は、前記離脱部分に対して移動するように構成されており、それによって、前記離脱部分が前記先端部ハウジングを前記管から解放するときに、前記カバー部分は前記スプレーノズルとともに前記離脱部分に対して、前記スプレーノズルを前記管から引き出すように移動するように構成されている、取り外し工具。
【請求項３０】
請求項２９に記載のスプレー塗布装置であって、
前記先端部ハウジングの外面が、前記スプレーノズルを前記管に固定するように構成されている１つ又は複数のスナップを含み、前記離脱部分は、前記１つ又は複数のスナップを前記管内に押し込むように構成されている１つ又は複数のアームを有する取り外し工具。
【請求項３１】
請求項２９に記載の取り外し工具であって、前記カバー部分は前記離脱部分と螺合する取り外し工具。
【発明の詳細な説明】
【技術分野】
【０００１】
本発明は、包括的には、スプレー塗布装置に関し、より具体的には、患者の手術部位まで治療用エアロゾルを送達するように構成されている塗布装置に関する。
【０００２】
［関連出願の相互参照］
本願は、２０１２年３月１３日に出願された米国仮特許出願第６１／６１０，２３９号（係属中）、及び２０１２年１１月２６日に出願された米国仮特許出願第６１／７２９，８３９号（係属中）（これらの出願の開示は引用することによりそれらの全体が本明細書の一部をなすものとする）の優先権を主張する。
【背景技術】
【０００３】
医師が手術中に直面する問題としては、多くの場合に、術後の痛み、感染、組織の癒着、及び腫瘍形成の管理及び予防が挙げられる。市場には、手術経験及び患者の予後を改善することによってこれらの問題に対処する多くの製品が存在する。そうした製品の中には、滅菌水又は生理食塩水によって組織部位を洗い流すとともに血液及び他の流体を手術部位から除去するのに用いられる吸引／洗浄ワンドがある。スプレー塗布装置は、治療用エアロゾル、流動化粉末製品及び／又はガスストリームを患者の手術部位内の解剖学的表面に送達するのに用いることができる。治療用エアロゾルは、例えば低侵襲手術中に、切開した解剖学的表面に、又は人工的に作られた手術部位内に塗布することができる。エアロゾル製剤は、外科手術前、外科手術中又は外科手術後の任意の時点で送達することができる。
【０００４】
しかし、局所手術又は腹腔鏡手術中にスプレー塗布装置によって治療用エアロゾルを塗布する間には、塗布装置先端部が、手術部位を有する患者の組織と接触する可能性があるというリスクが存在する。組織の接触によって、薬が吐出される先端部を遮断する場合、塗布装置内で圧力が増大する可能性がある。さらに悪いことに、極めて近接して印加される加圧ガスの力によって、（ガスを含む）流体を切開された血管内に押し流す可能性があり、圧力による損傷若しくは塞栓症、又はそうでなければ、外科手術によって既に炎症を起こし損傷を受けた組織を傷つけることになる。
【発明の概要】
【発明が解決しようとする課題】
【０００５】
したがって、スプレー塗布装置、及び塗布装置先端部と手術部位との間の不注意な接触の悪影響を低減する使用方法が必要とされている。
【課題を解決するための手段】
【０００６】
本発明の１つの実施の形態によると、薬剤を組織に塗布するスプレーノズルが先端部ハウジングと弁とを有する。先端部ハウジングは、管の遠位端に位置決めされ、弁は、先端部ハウジング内に移動可能に位置決めされる。弁は、薬剤が先端部ハウジングから離れて組織に向かって方向付けられる伸張位置から、薬剤が組織から離れるように排気される収納位置へ移動するように構成されている。
【０００７】
本発明の１つの実施の形態によると、薬剤を組織に塗布するスプレーノズルが先端部ハウジングと弁とを有する。先端部ハウジングは、遠位端と、近位端と、これらの端間に延在するとともに長手方向中心軸を画定するルーメンとを有する。弁は、先端部ハウジングのルーメンを通って長手方向中心軸に沿って延在するとともに、先端部ハウジングに対して伸張位置と収納位置との間で摺動する細長い本体を有する。弁の細長い本体の遠位端にあるスピンチャンバーが、薬剤を混合するように構成されている。弁のルーメン内にスピンチャンバーに近接して位置決めされているインサートが、混合された薬剤を受容して分散させる気泡体を有する。弁の細長い本体の外面に形成されている複数の圧抜き排気口が、弁が収納位置にあるときに先端部ハウジングのルーメンと流体連通するように構成されている。弁が先端部ハウジングに対して伸張位置にあるとき、スプレーノズルは、薬剤をスピンチャンバー及びインサートを介して組織に向かって分散させるように構成されており、弁が先端部ハウジングに対して収納位置にあるとき、スプレーノズルは、薬剤を複数の圧抜き排気口を介して組織から離すように排気するように構成されている。先端部において薬剤を混合する付加的な機能部が設けられる。これに関して、１つ又は複数の概ね螺旋状のフィン等の混合構造部が先端部ハウジング内に設けられる。これらは例えば、粉末剤を分散させる前にガスと混合するのに用いることができる。別の態様では、先端部ハウジングはコネクター部材を有するようにすることができ、塗布管の遠位端は、ユーザーが先端部ハウジング及び弁を塗布管に選択的に連結することを可能にするように相手方のコネクター部材を有するようにすることができる。例えば、これらのコネクター部材は嵌合するねじ山であり得る。
【０００８】
本発明の更なる他の実施の形態は、スプレーノズルと管とを備えるスプレー塗布装置に関する。スプレーノズル組織は先端部ハウジングと弁とを有する。先端部ハウジングは、管の遠位端に位置決めされ、弁は先端部ハウジング内に移動可能に位置決めされる。弁は、先端部ハウジングに対して伸張位置と収納位置との間で移動するように構成されている。管は、先端部ハウジングの近位端に動作可能に連結される。弁が先端部ハウジングに対して伸張位置にあるとき、スプレーノズルは、薬剤を組織に向かって分散させるように構成されており、弁が先端部ハウジングに対して収納位置にあるとき、スプレーノズルは、薬剤を組織から離すように排気するように構成されている。
【０００９】
本発明の実施の形態によると、スプレーノズルを用いて１つ又は複数の薬剤を組織に塗布する方法が、弁が伸張位置にある間に薬剤を組織に向かって方向付けることと、弁が収納位置にあるときに薬剤を排気することとを有する。
【００１０】
本発明の別の実施の形態は、スプレーノズルを管から取り外すように構成されている取り外し工具に関する。取り外し工具は、カバー部分と離脱部分とを有する。カバー部分は、スプレーノズルの先端部ハウジングと動作可能に係合してこの先端部ハウジングを支持する。カバー部分は、離脱部分が先端部ハウジングを管から解放する間に、スプレーノズルが管から引き出されるように離脱部分に対して移動するように構成されている。
【図面の簡単な説明】
【００１１】
【図１】本発明の１つの実施形態によるスプレーノズルを有するスプレー塗布装置の側面図である。
【図２】本発明の１つの実施形態による先端部ハウジングと弁とを有する図１のスプレーノズルの分解斜視図である。
【図３Ａ】弁が先端部ハウジングに対して伸張位置で示されている、図２の組み付けられたスプレーノズルの断面図である。
【図３Ｂ】弁が先端部ハウジングに対して収納位置で示されている、図２の組み付けられたスプレーノズルの断面図である。
【図４Ａ】薬剤が先端部ハウジングから離れて組織に向かって方向付けられるように伸張位置にある弁を示す、図２の組み付けられたスプレーノズルの断面図である。
【図４Ｂ】薬剤が組織から離れるように排気されるように収納位置にある弁を示す、図２の組み付けられたスプレーノズルの断面図である。
【図５Ａ】或る長さを有する、本発明の他の実施形態による弁を有する図２の先端部ハウジングの断面図である。
【図５Ｂ】或る長さを有する、本発明の他の実施形態による弁を有する図２の先端部ハウジングの断面図である。
【図５Ｃ】或る長さを有する、本発明の他の実施形態による弁を有する図２の先端部ハウジングの断面図である。
【図６Ａ】図２の先端部ハウジングと本発明の別の実施形態による弁とを有するスプレーノズルの分解斜視図である。
【図６Ｂ】図６Ａの組み付けられたスプレーノズルの断面図である。
【図７】本発明の別の実施形態による先端部ハウジングの斜視図である。
【図８】本発明の別の実施形態による先端部ハウジングと弁とを有するスプレーノズルの分解側面図である。
【図９Ａ】本発明の他の実施形態による先端部ハウジングと弁とを有するスプレーノズルの分解側面図である。
【図９Ｂ】本発明の他の実施形態による先端部ハウジングと弁とを有するスプレーノズルの分解側面図である。
【図１０】図９Ｂのスプレーノズルの組み付けられたところの側面図である。
【図１１】図１０の組み付けられたスプレーノズルの断面図である。
【図１２】スプレーノズルのスピンチャンバーの、図１１の線１２−１２に沿った断面図である。
【図１３Ａ】弁内に位置決めされるように構成されている、本発明の１つの実施形態によるスプレーチャンバーインサートの側面図である。
【図１３Ｂ】図１３Ａに示されるインサートの前端面図である。
【図１４】薬剤が先端部ハウジングから離れて組織に向かって方向付けられるように弁が先端部ハウジングに対して伸張位置にある状態の図１０のスプレーノズルの断面図である。
【図１４Ａ】図１４のスプレーノズルの拡大断面図である。
【図１４Ｂ】スプレーノズルのスピンチャンバーの、図１４Ａの線１４Ｂ−１４Ｂに沿った断面図である。
【図１５】薬剤が組織から離れるように排気されるように弁が先端部ハウジングに対して収納位置にある状態の図１０のスプレーノズルの断面図である。
【図１５Ａ】図１５のスプレーノズルの拡大断面図である。
【図１６Ａ】本発明の別の実施形態によるスプレーチャンバーインサートの側面図である。
【図１６Ｂ】図１６Ａに示されるインサートの前端面図である。
【図１７】図１６Ａのインサートとの使用時の、薬剤が先端部ハウジングから離れて組織に向かって方向付けられるように弁が先端部ハウジングに対して伸張位置にある、本発明の別の実施形態によるスプレーノズルの断面図である。
【図１７Ａ】図１７に示されるスプレーノズルの拡大断面図である。
【図１８Ａ】図１０のスプレーノズル、及びスプレーノズルに連結された本発明の１つの実施形態によるスプレーノズル取り外し工具の部分断面側面図である。
【図１８Ｂ】図１８Ａと同様であるが、スプレーノズルがスプレーノズル取り外し工具によって管から取り外された状態の側面図である。
【図１９】本発明の別の実施形態による先端部ハウジングと弁とを有するスプレーノズルの分解斜視図である。
【図２０Ａ】弁が先端部ハウジングに対して伸張位置で示されている、図１９の組み付けられたスプレーノズルの断面図である。
【図２０Ｂ】図２０Ａと同様であるが、スプレーノズルが図２０Ａに対して９０度回転した状態で断面をとり、弁が先端部ハウジングに対して収納位置で示されている、図１９の組み付けられたスプレーノズルの断面図である。
【図２１Ａ】本発明の別の実施形態に従って構成されたスプレー塗布装置の近位端の断面図である。
【図２１Ｂ】本発明の別の実施形態に従って構成されたスプレー塗布装置の近位端の断面図である。
【図２２】図２１Ａ及び図２１Ｂと同様であるが、内側管と外側管との間で用いられる代替的なスペーサー設計を示す断面図である。
【図２３】弁機能部と混合構造部とを組み合わせる代替的なスプレーノズルを示す解体斜視図である。
【図２４Ａ】図２３の組み付けられたスプレーノズルの、伸張位置すなわち開位置にある弁を示す断面図である。
【図２４Ｂ】図２４Ａと同様であるが、収納位置、すなわち閉じた排気位置にある弁を示す断面図である。
【図２５Ａ】代替的なスプレーノズル及び先端部の設計を示す解体断面図である。
【図２５Ｂ】図２５Ａと同様であるが、スプレー塗布装置の遠位端と組み付けられたスプレーノズルを示す断面図である。
【発明を実施するための形態】
【００１２】
本明細書において図示されるとともに説明される種々の実施形態の図を参照する場合、同様の参照符号は図面に示される同様の構造又は部材を指すことが認識されるであろう。したがって、異なる図に示される種々の共通の特徴に関して、繰り返しの考察は必要ではなく、その構造及び機能は、その構造又は部材の前述の考察に基づいて理解されるであろう。ここで図面、特に図１を参照すると、治療用エアロゾルスプレーを（図４Ａの破線２１によって示される）手術部位に塗布するように構成されている、本発明の１つの実施形態によるスプレー塗布装置２０が示されている。特定の例示的な実施形態では、スプレー塗布装置２０は、二重チャンバーシリンジ（図示せず）を受け入れる２つの平行なポート２６を有するとともに、１つ又は複数の流体をマルチルーメンチューブ２４内に運ぶのに用いることができる近位ハブ２２を有するが、所望であれば任意の数のポートを含めることができることを容易に理解することができるであろう。ハブ２２は、ポート２６から延在する、マルチルーメンチューブ２４のルーメン２８、３０（図３Ａ）と流体連通する通路（図示せず）を有する。
【００１３】
図３Ａに示されるようなマルチルーメンチューブ２４は、ハブ２２（図１）から、遠位に位置決めされるスプレーノズル３４の近くまで延在する第１のルーメン２８を提供する外側管３２と、ハブ２２（図１）から、スプレーノズル３４に近接する遠位部分の近くまで延在する第２のルーメン３０を提供する内側管３６とを有することができる。外側管３２は、用途の所望の機能に応じて剛性の材料又は柔軟な材料から構成することができる。内側管３６は、当業者に既知であるようなハイポチューブ又は可撓性のカテーテル材料から構成することができる。
【００１４】
使用時に、第１のルーメン２８は、加圧ガスを、医療施設において一般的に利用可能な加圧容器又は滅菌空気システムからスプレーノズル３４に送るように構成することができる。これによって、ノズル３４への、ガスの保護エンベロープが提供される。第１のルーメン２８を通るガスの連続的な流れは、粉末の排出に悪影響を与えるであろうノズル３４の遠位端における凝縮又は他の水分の蓄積を防ぐ。空気システムは、ハブ２２のサイドポート３５を介して第１のルーメン２８に連結することができる。空気システムの使用は、使用と使用との間のスプレーノズル３４の汚染及び／又は詰まりを防止するために一定の過圧を提供することができる。第２のルーメン３０は、薬剤を、ハブ２２の平行なポート２６に固定される二重チャンバーシリンジ（図示せず）からスプレーノズル３４へ送るように構成することができる。
【００１５】
図２〜図３Ｂには、先端部ハウジング４２内に挿入されるとともに先端部ハウジング４２と摺動可能な関係にある弁４０を有するスプレーノズル３４がより詳細に示されている。弁４０は、その近位端４６付近に位置決めされる１つ又は複数のブレード４４を有する、長円形状又は銛（打ち込み部材）形状であり得る細長い本体４１を有する。遠位端５４は、直径が弁４０の遠位縁からオフセットされるため、図３Ａに示されるような最大の幅寸法ｄｖを有する形状であり、形状（すなわち曲率半径、平滑さ等）は、最大の幅寸法から長手方向に離れるにつれてテーパー状になっている。遠位端５４の形状は、特定のスプレーパターンを提供するように選択することができ、例えば、弁４０の遠位端５４の形状を用いて放出されるエアロゾルを方向付け、広範な円錐形状を満たすことができるか、又はエアロゾルがスプレーノズル３４から離れるように延在するにつれて中心に集中させることができる。
【００１６】
先端部ハウジング４２は、概ね円筒形の外面４８を有することができ、また本実施形態において示されるように、外側管３２を例えば圧着によって先端部ハウジング４２に固定することができるように環状溝５０を有するが、他の方法を用いてもよく、それらの方法のうちの幾つかを以下で詳細に説明する。先端部ハウジング４２の近位端は、外側管３２への組み付けを容易にするように構成することができる。さらに、図２に示されるように、先端部ハウジング４２の遠位端は、エアロゾルを特定の流れパターンにさらに方向付ける（直径等の）幅寸法ｄｔ、形状及び構造を有する開口６４を有することができる。概して、開口６４の幅寸法は、ｄｔ≧ｄｖであり、弁４０の細長い本体４１と先端部ハウジング４２の遠位の開口６４との間に設けられる小さい隙間を形成するように、弁４０の最大の幅寸法と概ね同様であるか、又は弁４０の最大の幅寸法よりも僅かに大きい。
【００１７】
ここで図３Ａ及び図３Ｂを具体的に参照すると、ルーメン５６が先端部ハウジング４２を通って延びており、弁４０が先端部ハウジング４２に対して摺動するように構成されるよう、弁４０を内部に受け入れるように構成されている。ルーメン５６を有する内壁の一部が、弁４０のブレード４４が先端部ハウジング４２に対して回転するとともに先端部ハウジング４２内で摺動することができるように、ブレード４４を収納するように構成されているテーパー状のガイド部分５８を有することができる。その点で、弁４０は、ガイド部分５８の遠位のテーパー縁５９と、内側管３６の遠位縁として示されているポジティブストップ６０との間で摺動する。したがって、弁４０は、マルチルーメンチューブ２４及び先端部ハウジング４２の長手方向中心軸６２に沿って、図３Ａに示される伸張位置と図３Ｂに示される収納位置との間で摺動することができる。
【００１８】
幾つかの実施形態では、ブレード４４及びガイド部分５８は、付加的に又は代替的に、先端部ハウジング４２内での弁４０の適切な位置合わせを容易にするように構成することができる。
【００１９】
使用時には、またここで図４Ａ及び図４Ｂを参照すると、液体製品又は流動化乾燥粉末製品（例えば薬剤を有する）を、ハブ２２（図１）から、内側管３６及び／又は外側管３２を通してスプレーノズル３４に方向付けることができる。流体は、先端部ハウジング４２のルーメン５６に入り、弁４０のブレード４４間を開口６４に向かって流れる。ブレード４４間の流体の流れは、弁４０をガイド部分５８内でスピンさせる働きをすることができ、これによってスプレーパターンが均一になり、また、手術部位２１内での望ましくない出血を止める等の選択された目的に効果的であるように流体を混合する働きをすることができる。
【００２０】
遠位の開口６４において、弁４０が図４Ａに示されるように伸張位置にある状態で、流体は、分散系５９として組織２１に向かって放出される。分散系５９は、流体が弁４０の細長い本体４１と遠位の開口６４との間に設けられている小さい隙間のくびれた領域を通って、例えばより高い圧力の領域からより低い圧力の領域へ移動するにつれて広がり、大きい表面積を覆う。
【００２１】
図４Ｂにおいて、スプレーノズル３４が組織２１と接触する場合に、又はスプレーノズル３４が組織２１と接触すると、この接触によって、弁４０を先端部ハウジング４２内で図４Ａに示される伸張位置から図示のような収納位置へ近位に移動させる、近位に方向付けられる力が形成される。弁４０が収納位置にある状態では、弁４０の近位端４６は内側チューブ３６のルーメン３０に近接するか、又は内側チューブ３６のルーメン３０に少なくとも部分的に入り、それによって、そうでなければ圧力による損傷又は塞栓症を引き起こしかねない、流体の流れを阻止及び低減する。さらに、この収納位置への弁４０の移動によって、遠位端５４の最大の幅寸法ｄｖ（図３Ａ）が先端部ハウジング４２の幅寸法ｄｔ（図２）とより近接する。ｄｖはｄｔに向かって収束する（ｄｖ→ｄｔ）ため、弁４０の細長い本体４１と遠位の開口６４との間に設けられる小さい隙間が縮小するか又は閉じる。先端部ハウジング４２からの流体の流れは低減し、これによって先端部ハウジング４２内で圧力が増大する。この上昇した圧力の（排気される粉末６１としての）解放は、外側管３２内に、先端部ハウジング４２の近位端に近接して位置決めされる１つ又は複数の開口６６によって提供することができる。スプレーノズル３４の特定の使用に応じて、排気される粉末６１は、腹腔内若しくは周囲の雰囲気中に解放することができるか、又は代替的には、廃棄のために、真空管路と流体連通している周囲の管（図示せず）に入ることができる。真空管路の使用は、排気される粉末６１が腹腔鏡カメラの視界を妨げるか又は別様に手術部位２１を汚染する可能性がある場合に特に有用であり得る。
【００２２】
したがって、本明細書において提供される教示から、弁４０の形状の選択は、少なくとも部分的に、医師の好み、医療処置、塗布される薬剤等に基づき得ることが認識される。その点で、弁４０は特定の処置における使用に合わせて長さを変えることができる。図５Ａ〜図５Ｃに示されるように、スプレーノズル３４ａ、３４ｂ、３４ｃは、図２と同じ先端部ハウジング４２を有するが、弁４０ａ、４０ｂ、４０ｃの細長い本体４１ａ、４１ｂ、４１ｃは、それぞれ１０ｍｍ、５ｍｍ及び３ｍｍといったように長さが変わる。しかし、これらの長さは本質的に例示的なものにすぎず、これらの寸法は限定的であるものとみなされるべきではない。
【００２３】
また、弁４０の長さが唯一の可変の特徴である必要はない。図６Ａ及び図６Ｂには、本発明の別の実施形態による弁７８が示されており、弁７８の表面内に及ぶとともに遠位端７５から近位端８１のブレード７９に向かって近位に深さが低減する複数のベーン７７を有する。ベーン７７の深さ、角度、形状及び数は、放出される分散系５９に特定の形状を与えるように（図４Ａ）変えることができる。
【００２４】
図７に示されるような更なる他の実施形態では、先端部ハウジング６８も、分散系５９の特定の形状を与えるように（図４Ａ）変えることができる。図７に示される例示的な実施形態によると、先端部ハウジング６８は、外側管３２（図３Ａ）を収納する外側溝７２を有する本体７０と、遠位の開口７４から本体７０を通して延在するテクスチャー付きのルーメン７６とを有する。ルーメン７６のテクスチャーは、図示のように溝を有することができるか、又は先端部ハウジング６８内における特定の流体混合パターン及び／又は先端部ハウジング６８からの流体の放出を生じさせるように所望に応じて他のパターンを有することができる。
【００２５】
例えば図８〜図９Ｂに示されるような更なる他の実施形態では、先端部ハウジング８２の外側溝５０（図２）の代わりに、図９Ｂに示されるような１つ又は複数のスナップ１００若しくは図８及び図９Ａに示されるようなタブ１０２を用いることができるか、又は別様に、先端部ハウジング８２の外側溝５０に図９Ｂに示されるような１つ又は複数のスナップ１００、若しくは図８及び図９Ａに示されるようなタブ１０２を組み込むことができる。スナップ１００及び／又はタブ１０２は、外側管３２（図１１）内のスペース又はリセス１０１（図１１）によって収納さるように構成される。
【００２６】
図８は、本発明の別の実施形態によるスプレーノズル８０も示している。スプレーノズル８０は、先端部ハウジング８２と、先端部ハウジング８２に対して摺動可能な関係にあるように構成されている弁８４とを有する。
【００２７】
図１１は、弁８４を通して遠位の開口８８まで延在するルーメン８６と、その外面に複数の圧抜き排気口９０とを有するものとしての弁８４の細部をより詳細に示す。遠位の開口８８に近接して位置決めされているとともに弁８４の回りに周方向に配置されている圧抜き排気口９０は、弁８４のルーメン８６との流体連通を形成することなく幅及び／又は深さが近位にテーパー状になっている。
【００２８】
図１１から図１３Ｂを参照すると、弁８４の遠位端は内壁１０９を形成するように径方向内方へ曲がり、内壁１０９は外壁１１１との間にスピンチャンバー９２を画定する。内壁１０９には、流体を放出中に混合するために湾曲しているか、弓状であるか、又は別様に角度が付いている複数のベーン１０８が貫通している。スピンチャンバーインサート９８が、スピンチャンバー９２に近接して、弁８４のルーメン８６内に存在する。ドーム状のリフレクターの形態である凹状のリセス９６を、スピンチャンバーインサート９８の遠位面１０６に形成し、複数のベーン１０８から入る流体及び粉末をスプレーノズル８０から放出される前にスピンさせるために低摩擦軽減（low friction relief）をもたらすことができる。リセス９６は、粉末粒子を捕捉し、弁８４の遠位端における閉塞を防止することができる。気泡体９６のサイズ及び凹面を調節して、スピンチャンバー９２内に形成される液体又は粉末の渦の崩壊を防止することができる。スピンチャンバーインサート９８は、弁８４のルーメン８６に隣接して棚部９４内に留まる間に以下で詳細に説明するようにスピンチャンバー９２内への流体の流れを可能にするように１つ又は複数の切欠き部１０７を有する。
【００２９】
スプレーノズル８０の使用が図１４〜図１５Ａに示されている。すなわち、図１４及び図１４Ａに示されるスプレーノズル８０の通常の動作中に、弁８４は、流体が内側チューブ３６及び／又は外側チューブ３２から第１の流体経路に沿って先端部ハウジング８２内に、弁８４のルーメン８６内に、また遠位の開口８８から外方へ移動するように（図４Ａに矢印で示される）、先端部ハウジング８２に対して伸張位置にある。図１４Ｂに示されるスピンチャンバー９２において、流体の流れ（矢印で示される）は、インサート９８の切欠き部１０７によって弁８４のルーメン８６から内壁１０９と外壁１１１との間に移動する。流体は次に、内面１０６のベーン１０８を通って流れて気泡体９６に入り、ここで、流体は旋回するとともに反射されて分散系５９としてスプレーノズル８０から放出される。
【００３０】
弁８４は、手術部位２１の組織と接触すると、図１５及び図１５Ａに示されるように、収納位置まで先端部ハウジング８２内に近位に方向付けられる。弁８４が十分に後退すると、解放排気口９０が先端部ハウジング８２のルーメン１０４に入って先端部ハウジング８２のルーメン１０４との流体連通を形成する。したがって、流体は、上記で説明したように第１の流体経路に沿って、又は内側管３６及び／又は外側管３２から延在する第２の流体経路に沿って、先端部ハウジング８２のルーメン１０４内、弁８４のブレード８５間、先端部ハウジング８２と弁８４との間のスペース内に、また圧抜き排気口９０から外方へ流れることができる。この第２の流体経路に沿う流体の流れは、第１の流体経路に沿う流れを低減する。また、図１４Ａに示されていたように、弁８４が伸張位置にあるとき、解放排気口９０は先端部ハウジング８２の遠位に位置決めされ、先端部ハウジング８２のルーメン１０４とは流体連通しない。したがって、弁８４が伸張位置にあるときは、第１の流体経路のみが存在し、全ての流体の流れは手術部位２１に方向付けられる。
【００３１】
図１６は、本発明の別の実施形態によるスピンチャンバーインサート１２４を示している。このスピンチャンバーインサート１２４は、図１３Ａのインサート９８と同様に、遠位面１２６内に及ぶ気泡体１２５と、遠位面１２６の外周縁に沿う複数の切欠き部１２７とを有する。この特定のスピンチャンバーインサート１２４は、内側管３６（図３Ａ）を少なくとも部分的に塞ぐように構成されているストッパー１２８を有する細長い近位端をさらに有する。
【００３２】
より具体的に、図１７及び図１７Ａは、図１６のスピンチャンバーインサート１２４が組み込まれている、先端部ハウジング１２０と弁１１２とを有するスプレーノズル１１４を示している。図示のような先端部ハウジング１２０は、図１１を参照して上記で詳細に説明した先端部ハウジング８２と同様である。弁１１２は図１１の弁８４と同様であるが、弁１１２のルーメン１１０は、内側管３６と直接的に流体的に連結されるように延びている。したがって、近位に位置決めされるストッパー１２８は、内側管３６のルーメン３０に近接して位置決めされるか、又は内側管３６のルーメン３０内に僅かに入ることができる。このように、内側管３６は、スプレーノズル１１４を伸張位置に向かって付勢するばねとして働くことができる。
【００３３】
図１７及び図１７Ａに示されるような本発明のこの特定の例示的な実施形態は、湿式塗布又は乾式塗布において用いることができる。例えば、弁１２４が伸張位置にあるときには、湿潤薬剤を、内側管３６から弁１１２のルーメン１１０内へ、インサート１２４の切欠き部１２７によって弁１１２の内壁１１６と外壁１１８との間に延在する第１の流体経路を介して、手術部位２１に塗布することができる。次に、流体は、弁の表面１２６のベーン１１９を通って流れて気泡体１２５に入り、旋回して分散系５９としてスプレーノズル１１４から放出される。乾式用途では、乾燥薬剤を第２の流体経路を介して手術部位２１に塗布することができるように、弁１２４は収納位置に移動する。上記で説明したように、第２の流体経路は、外側管３２のルーメン２８から延び、先端部ハウジング１２０の、ブレード１１３間のルーメン１１０、弁１１２の外壁とルーメン１１０の内壁との間に入り、先端部ハウジング１２０のルーメン１１０と流体連通している圧抜き排気口１２２を介して通気される。
【００３４】
ここで図１８を参照すると、本発明の１つの実施形態による、スプレーノズル８０をマルチルーメンチューブ２４から取り外すように構成されている工具１３０が示されている。取り外し工具１３０は図８の特定の実施形態とともに用いられて示されているが、これは専ら例示的な説明のためであり、工具１３０は本発明のいずれかの実施形態によるスプレーノズルとともに用いることができることが理解されるであろう。工具１３０は、スプレーノズル８０をマルチルーメンチューブ２４から解放するように構成されている離脱部分１３４と螺合するように構成されているカバー部分１３２を有する。その点で、カバー部分１３２は、取り外し中に先端部ハウジング８２と係合して支持するように構成されている支持体１３６を有することができる。離脱部分１３４は、１つ又は複数のフィンガーパッド１４０に動作可能に連結され、先端部ハウジング８２の外面に設けられるスナップ１００と位置合わせするアーム１３８を有する（そのうち２つが示されている）。ユーザーは、例えば人差し指及び親指によりフィンガーパッド１４０を同時に内方へ押圧してアーム１３８を内方へ方向付けること等によってアーム１３８を作動することができる。アーム１３８とスナップ１００との位置合わせに起因して、スナップ１００も内方へ押し込まれ、マルチルーメンチューブ２４の開口１０１から解放される。スナップ１００が解放された状態で、カバー部分１３２を離脱部分１３４に対して回転させ、カバー部分１３２を離脱部分１３４から分離することができる。更なる分離によってスプレーノズル８０がマルチルーメンチューブ２４から引き離される。また更なる回転によって、スプレーノズル８０がマルチルーメンチューブ２４から完全に引き出され、それによって、スプレーノズル８０を、超音波洗浄器又はオートクレーブ等によって洗浄、滅菌及び／又は消毒し、さらに使用するか又はそうでなければ廃棄することができる。
【００３５】
図１９、図２０Ａ及び図２０Ｂは、先端部ハウジング１５４内に収納され、上述した実施形態と同様に動作する弁１５２を有する代替的なスプレーノズル１５０を示している。先端部ハウジング１５４は、後述する差異を除いて上述した実施形態と概ね同様に構成されるマルチルーメンチューブ１５８の遠位端１５６内に固定される。マルチルーメンチューブ１５８は、上述したように概ね働くガスルーメン１６４と粉末ルーメン１６６とを形成するように、外側管１６０と、外側管１６０から離間している内側管１６２とを有する。この実施形態では、弁１５２は、その近位端に２つのフィン１６８、１７０しか含まない。２つのみのフィン１６８、１７０の使用によって、弁１５２が開いているとき（図２０Ａ）の、フィン１６８、１７０を越えて出口１７２から出る粉末の自由な流れが可能になる。弁１５２は、図２０Ａに示される開位置と図２０Ｂに示される閉位置との間で移動するときに弁１５２を先端部ハウジング１５４内でセンタリングすることに役立つように、２つの中心位置決め部材１７４をさらに有する。先端部ハウジング１５４は外側管１６０内に圧着される。
【００３６】
図２１Ａ及び図２１Ｂにさらに示されるように、内側管１６２は、スペーサー１７６を用いて外側管１６０内に、また接着剤を用いて所望の位置に固定し、塗布装置１８０の近位端に流動化チャンバー１７８を形成することができる。塗布装置１８０の近位端は、粉末入口１８４とガス入口１８６とを有するハブ１８２を有する。内側管１６２は、図２１Ａ及び図２１Ｂにおいて２つの異なる位置に示されている。内側管１６２は、内側管１６２に強固に締結されるスペーサー１７６を外側管１６０の内壁に接着すること等によって所望の位置に固定される。遠位端のスペーサー１７６（図２０Ａ）は同様に固定される。各位置で、流動化チャンバー１７８は内側管１６２に近接して形成される。図２１Ｂの流動化チャンバー１７８は、粉末が内側管１６２の近位端に入る前により多くの粉末の流動化が生じるように図２１Ａの流動化チャンバー１７８よりも大きい。この特徴は、塗布装置１８０を、所望の粉煙の密度及び用いられる粉末の種類（複数の場合もある）に合わせることを可能にする。入口管路１８４、１８６は、逆流を防止するそれぞれの逆止め弁１８８、１９０を有する。塗布装置１８０の遠位端は多くの場合、腹部等のガスが注入される領域に挿入される。逆止め弁１８８、１９０は、注入ガスが塗布装置１８０と関連するガス及び粉末の供給源内に逆流することを防止する。注入ガスに入って運ばれる水分は、例えば粉末供給源に達すると重大な問題となる可能性がある。ガス管路の逆止め弁１９０は、粉末がガス入口１８６内に逆流することをさらに防止する。
【００３７】
図２２は、スペーサー１７６の代わりに円筒形のセンタリングスペーサー２００が用いられること以外は図２１Ａ及び図２１Ｂに示されているものと同じである、代替的なハブ構成を示している。円筒形のスペーサー２００は、接着剤を用いること等によって外側管１６０と内側管１６２との間に取着される。スペーサー２００は、内側管１６２の近位端１６２ａに隣接して位置付けられる斜角又は収束部分２００ａを有する。このセンタリングスペーサー２００、特に斜角２００ａは、内側管１６２の近位端における粉末の蓄積を防止するのに役立つように、また、粉末を粉末ルーメン１６６内に方向付けるのに役立つように設計されている。
【００３８】
図２３、図２４Ａ及び図２４Ｂは、マルチルーメンチューブ１５８の別の代替的な特徴を示している。特に、弁２１０が先端部ハウジング２１２内に収納され、上述した実施形態と同様に動作する。その差異は、先端部ハウジング２１２が概ね螺旋状の内部フィン２１４の形態等の混合構造部を組み込んでいることである。フィン又は他の混合構造部２１４は、本発明と同日付けで出願された米国特許出願第            号（代理人整理番号：ＮＯＲ−１５２９ＵＳ）において図示及び説明されているように構成することができ、この出願の開示は引用することにより本明細書の一部をなすものとする。先端部ハウジング２１２は、混合構造部２１４の近位端に内部停止部２１６を有する。これらの停止部２１６は、上述したフィン１６８、１７０と概ね同じ役割を果たすとともに概ね同じ目的を果たす２つのフィン２１８、２２０とそれぞれ係合する。弁２１０は、上述したものと同じ目的のために図２４Ａ及び図２４Ｂにそれぞれ示されるような２つの位置間で移動する。停止部２１６は、弁２１０が遠位へ進むことを制限する。内側管１６２の遠位端は、弁２１０が近位へ移動することすなわち進むことを制限する。弁２１０は、前述の実施形態に関して概ね上述したように、図２４Ａに示されるような開位置と、図２４Ｂに示されるような閉じた排気位置とにある。図２４Ａに示される開位置にあるとき、粉末及びガスは、中央の粉末ルーメン１６６を通って、マルチルーメンチューブ１５８の遠位端１５６に向かって進む。粉末及びガスは、チューブ１５８の、混合構造部２１４を有するセクションを通って進むとき、本明細書の一部をなすものとした前記米国特許出願に概ね説明されているようにさらに混合される。したがって、粉末及びガスは、弁２１０のステム２１０ａと、概ね螺旋状のフィン又は他の混合構造部２１４との間を概ね進んだ後で遠位の開口２２２において出る。
【００３９】
図２５Ａ及び図２５Ｂは、概ね遠位端１５６に組み込まれる別の代替的な特徴を示している。この実施形態では、遠位端は、例えば弁１５２を含めることによって、上述した実施形態と概ね同様に設計及び構成することができる交換可能な先端部２３０を有する。交換可能な先端部２３０は、ねじ部材２３２を有する近位端を有する。アダプター２３４に相手方のねじ部材２３６が設けられる。アダプター２３４は、例えば接着剤又は溶接技法を用いることによって内側管１６２と外側管１６０との間に強固に固定される連結部分２３８を有する。アダプター２３４が適所に固定されると、遠位端１５６は、交換可能な先端部２３０の相手方の部材と選択的に連結することができ、ねじ部材又は他のタイプの連結部材を事実上含むことになる。この実施形態では、遠位端１５６がしたがって雌ねじ部材２３６を有するとともに、交換可能な先端部２３０が相手方の雄ねじ部材２３２を含み、交換可能な先端部２３０を遠位端１５６に対して選択的に連結／分離することが可能になっている。これは例えば、異なるタイプの先端部を同じ装置において用いることを可能にし、かつ、先端部が粉末及び／又は生体材料等の他の材料で詰まった場合等に、種々の目的で先端部を新たな先端部と交換することを可能にする。
【００４０】
本発明をその実施形態の説明によって例示し、それらの実施形態をかなり詳細に説明したが、添付の特許請求の範囲の範囲をそのような詳細に制限するか又はいかようにも限定することは意図されない。更なる利点及び変更形態が当業者には容易に明らかであろう。したがって、本発明は、その最も広範な態様では、図示及び説明される特定の詳細に限定されない。本明細書において開示された種々の特徴及び実施形態は、特定の用途に必要であるか又は所望される任意の組み合わせで用いることができる。したがって、添付の特許請求の範囲の精神及び範囲から逸脱することなく、本明細書において説明した詳細から逸脱することができる。
【図１】
2013188479.tif 000003
【図２】
2013188479.tif 000004
【図３Ａ】
2013188479.tif 000005
【図３Ｂ】
2013188479.tif 000006
【図４Ａ】
2013188479.tif 000007
【図４Ｂ】
2013188479.tif 000008
【図５Ａ】
2013188479.tif 000009
【図５Ｂ】
2013188479.tif 000010
【図５Ｃ】
2013188479.tif 000011
【図６Ａ】
2013188479.tif 000012
【図６Ｂ】
2013188479.tif 000013
【図７】
2013188479.tif 000014
【図８】
2013188479.tif 000015
【図９Ａ】
2013188479.tif 000016
【図９Ｂ】
2013188479.tif 000017
【図１０】
2013188479.tif 000018
【図１１】
2013188479.tif 000019
【図１２】
2013188479.tif 000020
【図１３Ａ】
2013188479.tif 000021
【図１３Ｂ】
2013188479.tif 000022
【図１４】
2013188479.tif 000023
【図１４Ａ】
2013188479.tif 000024
【図１４Ｂ】
2013188479.tif 000025
【図１５】
2013188479.tif 000026
【図１５Ａ】
2013188479.tif 000027
【図１６Ａ】
2013188479.tif 000028
【図１６Ｂ】
2013188479.tif 000029
【図１７】
2013188479.tif 000030
【図１７Ａ】
2013188479.tif 000031
【図１８Ａ】
2013188479.tif 000032
【図１８Ｂ】
2013188479.tif 000033
【図１９】
2013188479.tif 000034
【図２０Ａ】
2013188479.tif 000035
【図２０Ｂ】
2013188479.tif 000036
【図２１Ａ】
2013188479.tif 000037
【図２１Ｂ】
2013188479.tif 000038
【図２２】
2013188479.tif 000039
【図２３】
2013188479.tif 000040
【図２４Ａ】
2013188479.tif 000041
【図２４Ｂ】
2013188479.tif 000042
【図２５Ａ】
2013188479.tif 000043
【図２５Ｂ】
2013188479.tif 000044
【外国語明細書】
2013188479.tif 000045
2013188479.tif 000046
2013188479.tif 000047
2013188479.tif 000048
2013188479.tif 000049
2013188479.tif 000050
2013188479.tif 000051
2013188479.tif 000052
2013188479.tif 000053
2013188479.tif 000054
2013188479.tif 000055
2013188479.tif 000056
2013188479.tif 000057
2013188479.tif 000058
2013188479.tif 000059
2013188479.tif 000060
2013188479.tif 000061
2013188479.tif 000062
2013188479.tif 000063
2013188479.tif 000064
2013188479.tif 000065
2013188479.tif 000066
2013188479.tif 000067
2013188479.tif 000068
2013188479.tif 000069
2013188479.tif 000070
2013188479.tif 000071
2013188479.tif 000072
2013188479.tif 000073
2013188479.tif 000074
2013188479.tif 000075
2013188479.tif 000076
2013188479.tif 000077
2013188479.tif 000078
2013188479.tif 000079
2013188479.tif 000080
2013188479.tif 000081
2013188479.tif 000082
2013188479.tif 000083
2013188479.tif 000084
2013188479.tif 000085
2013188479.tif 000086